(57)【特許請求の範囲】
【請求項１】
複数の薬剤を収容する複室容器であって、開通防止部により複数の充填室に分けられており、それぞれの充填室に薬剤が充填された容器本体と、前記容器本体の少なくとも一つの充填室を覆うカバー部材と、を具備し、前記カバー部材は、前記開通防止部を外側から挟持する一対の剛性部材と、前記一対の剛性部材を閉じるように設けられ、前記充填室間が開通状態になって前記開通防止部の厚さが増加した場合にその厚さの増加により剥がれる程度の密着力を有するシール部と、を含み、前記充填室間が未開通状態の場合に一方の充填室を前記カバー部材で覆い、前記充填室間が開通状態になって前記開通防止部の厚さが増加した場合に前記シール部が剥がれて前記カバー部材が脱落することを特徴とする複室容器。
【請求項２】
前記一対の剛性部材がプレートであることを特徴とする請求項１記載の複室容器。
【請求項３】
前記容器本体は、一方の端部側に口栓を有し、他方の端部側に前記容器本体を吊り下げる穴を有することを特徴とする請求項１又は請求項２に記載の複室容器。
【請求項４】
前記カバー部材は、少なくとも前記一方の端部を覆うことを特徴とする請求項３記載の複室容器。
【請求項５】
前記カバー部材は、少なくとも前記他方の端部を覆うことを特徴とする請求項３記載の複室容器。
【請求項６】
前記剛性部材の長さが前記カバー部材の幅よりも短いことを特徴とする請求項１から請求項５のいずれかに記載の複室容器。
【請求項７】
前記剛性部材の長さが前記カバー部材の幅よりも長いことを特徴とする請求項１から請求項５のいずれかに記載の複室容器。
【発明の詳細な説明】
【技術分野】
【０００１】
本発明は複室容器に関し、特に、２以上の薬剤を収容し、これらの薬剤を混合することができる複室容器に関する。
【背景技術】
【０００２】
従来、２以上の薬剤を混合する場合、相互作用に起因する経時的変化によって薬剤が変質することを防止するために、医療現場において投与直前に各薬剤を混合して調製していた。しかしながら、このような投与直前の薬剤の混合は、微生物による汚染や異物の混入、過誤の混合、迅速な投与ができないなどの欠点があった。このため、現在、圧力の付加によって剥離可能なシールなどの仕切り手段を容器本体に設け、この仕切り手段で区画された複数の充填室に各未混合薬剤を個別に充填してなる複室型の容器が開発されている。この複室型の容器は、投与直前に仕切り手段を解除して各薬剤を混合するようになっている。
【０００３】
このような複室型の容器において、仕切り手段を解除して各薬剤を混合する方法としては、充填室を手などで押圧して充填室の容積を小さくすることにより、充填室内の薬剤の圧力で仕切り手段を解除して薬剤を混合する方法や、一つの充填室から別の充填室に仕切り手段を通して延在する注入栓を設け、この注入栓を開けることにより薬剤を混合する方法などがある。
【発明の開示】
【発明が解決しようとする課題】
【０００４】
このような混合方法においては、容器を所定の器具に装着して投与する際に、装着動作とは別に開通動作（押圧、開栓）が必要になる。このため、開通動作を行わずに薬剤を投与してしまう可能性がある。しかも、仕切り手段が解除されて薬剤が混合したかどうかを確認することが難しいので、開通動作がなされていないことを発見することが難しい。さらに、開栓して薬剤を混合するタイプのものにおいては、充填室内に開栓後の栓が残存することになるので、異物の混入が問題となる。
【０００５】
本発明はかかる点に鑑みてなされたものであり、薬剤の混合することを忘れたりすることがなく、しかも異物の混入を防止することができる複室容器を提供することを目的とする。
【課題を解決するための手段】
【０００６】
本発明の複室容器は、複数の薬剤を収容する複室容器であって、開通防止部により複数の充填室に分けられており、それぞれの充填室に薬剤が充填された容器本体と、前記容器本体の少なくとも一つの充填室を覆うカバー部材と、を具備し、前記カバー部材は、前記開通防止部を外側から挟持する一対の剛性部材と、前記一対の剛性部材を閉じるように設けられ、前記充填室間が開通状態になって前記開通防止部の厚さが増加した場合にその厚さの増加により剥がれる程度の密着力を有するシール部と、を含み、前記充填室間が未開通状態の場合に一方の充填室を前記カバー部材で覆い、前記充填室間が開通状態になって前記開通防止部の厚さが増加した場合に前記シール部が剥がれて前記カバー部材が脱落することを特徴とする。
【０００８】
本発明の複室容器においては、前記一対の剛性部材がプレートであることが好ましい。
【０００９】
本発明の複室容器においては、前記容器本体は、一方の端部側に口栓を有し、他方の端部側に前記容器本体を吊り下げる穴を有することが好ましい。この場合において、前記カバー部材は、少なくとも前記一方の端部を覆うことが好ましい。また、この場合において、前記カバー部材は、少なくとも前記他方の端部を覆うことが好ましい。
【００１０】
本発明の複室容器においては、前記剛性部材の長さが前記カバー部材の幅よりも短いことが好ましい。
【００１１】
本発明の複室容器においては、前記剛性部材の長さが前記カバー部材の幅よりも長いことが好ましい。
【発明の効果】
【００１２】
本発明の複室容器は、複数の薬剤を収容するものであり、開通防止部により複数の充填室に分けられており、それぞれの充填室に薬剤が充填された容器本体と、前記容器本体の少なくとも一つの充填室を覆うカバー部材と、を具備し、前記カバー部材は、前記開通防止部を外側から挟持する一対の剛性部材と、前記一対の剛性部材を閉じるように設けられたシール部と、を含むので、薬剤の混合することを忘れたりすることがなく、しかも異物の混入を防止することができる。
【発明を実施するための最良の形態】
【００１３】
以下、本発明の実施の形態について添付図面を参照して詳細に説明する。
図１は、本発明の実施の形態に係る複室容器を示す正面図である。また、図２は、図１に示す複室容器の側面図であり、図３は、図１に示す複室容器のカバー取付部分を示す拡大図である。
【００１４】
図１に示す複室容器は、容器本体１を有する。容器本体１は、複数（本実施の形態においては２つ）の充填室１１，１２を有する。充填室１１，１２との間には、充填室１１，１２内にそれぞれ充填された薬剤の開通を防止するシール部１３が設けられている。したがって、容器本体１は、シール部１３により２つの充填室１１，１２に分けられている。
【００１５】
このシール部１３は、紙面の法線方向の圧力（矢印Ａ方向）に対して十分な耐圧性を有する。すなわち、矢印Ａ方向からの圧力は、容器本体１全体に分散するのでシール部１３が剥離しない。また、このシール部１３は、紙面の上下方向の力（矢印Ｂ方向）に対して剥離し易い性質を有する。このようなシール部１３を開通防止部とすることにより、充填室１１，１２の少なくとも一方に圧力を加えることにより、シール部１３に矢印Ｂ方向の圧力が加わって、シール部１３が剥れて充填室１１，１２間が開通状態となり、充填室１１，１２にそれぞれ充填された薬剤が混合される。
【００１６】
容器本体１は、一方の端部（図中上方）に、薬剤投与の際にスタンドに吊り下げるための穴１４を有する。また、容器本体１は、他方の端部（図中下方）に口栓１５を有する。口栓１５は、中空針が刺されるまでゴム栓により密封されている。なお、容器本体１の材質としては、通常使用されている材質を用いることができる。
【００１７】
また、図１に示す複室容器は、充填室１１，１２の少なくとも一方（図１では、充填室１２）を覆うカバー２を有する。このカバー２は、少なくとも端部（例えば、口栓１５又は穴１４）を覆っていれば良い。このカバー２は、シール部１３を外側から挟持する一対の剛性部材２１と、一対の剛性部材２１を閉じるように設けられたシール部２２とを含む。カバー２としては、紙やプラスチックなどで構成されたフィルムやシートなどを用いることができる。
【００１８】
剛性部材２１は、シール部１３を外側から挟持してカバー２を容器本体１に装着できるために十分な剛性を有する。また、剛性部材２１としては、シール部１３に沿ってシール部１３（容器本体１の薄肉部分）を挟むことができるプレートなどを用いることができる。また、剛性部材２１としては、できるだけ軽量であることが好ましい。したがって、剛性部材の材質としては、例えば、紙やプラスチックなどを用いることができる。剛性部材２１は、シール部１３に当接するようにカバー２の内側に接着などにより取り付けられる。また、図１に示す態様においては、シール部２２でカバー２を閉じているので、剛性部材２１の長さＬは、カバー２の幅Ｄよりも短く設定される。
【００１９】
シール部２２は、カバー２における剛性部材２１の外側の領域に設けられる。シール部２２は、シール部１３が剥れて充填室１１，１２間が開通状態になった場合において、シール部１３の厚さが厚くなったときに、その厚さの増加により剥れる程度の密着力を有する。すなわち、シール部２２の密着力、シール部２２の形状や、カバー２におけるシール部２２の位置は、充填室１１，１２間が未開通状態の場合に、カバーを保持し、充填室１１，１２間が開通状態になってシール部１３の厚さが増加した場合に、容易にカバー２を脱落させるように設定する。
【００２０】
シール部２２は、両面テープで構成しても良く、カバー２同士を溶着して構成しても良く、カバー２の当接部分（端部）に係合部を設けて両者を係合させて構成しても良い。
【００２１】
容器本体１にカバー２を取り付ける場合には、まず図４Ａに示すようなカバー２（例えば、フィルム又はシート）を準備する。このカバー２の一方の面の両端部に、それぞれ剛性部材２１（例えば、プレート）を取り付ける。次いで、図４Ｂに示すように、剛性部材２１が対面するようにしてカバー２を湾曲させる。この状態で、剛性部材２１の位置が容器本体１のシール部１３の位置になるように、容器本体１の一方の充填室（充填室１２）を覆うように、湾曲したカバー２を容器本体１に被せる。次いで、図４Ｃに示すように、剛性部材２１の外側の領域をシールしてシール部２２を形成する。
【００２２】
このように、上記の複室容器は、充填室１１，１２間が未開通状態の場合に充填室１２をカバー２で覆い、充填室１１，１２間が開通状態になってシール部１３の厚さが増加した場合にカバー２が脱落するように構成されている。このため、充填室１１，１２間が未開通状態の場合においては、容器本体１の口栓１５がカバー２により覆われている。このため、この状態では、カバー２で口栓１５が覆われているので、必然的に口栓１５に中空針を刺せず、使用することができない。すなわち、充填室１１，１２が未開通状態では、使用できないことになる。このため、薬剤の混合し忘れという事態を確実に回避することが可能となる。しかも、この構成によれば、異物の混入を防止することができる。
【００２３】
図１に示す態様においては、図４Ｃに示すように、カバー２の側部は開放されている場合について説明しているが、本発明においては、カバー２の側部をミシン目で切り離せるように閉じておき、充填室１１，１２間が開通状態になってシール部１３の厚さが増加した場合に、ミシン目が切り離されてカバー２が脱落するように構成しても良い。この場合においては、シール部２２は設けても良く、設けなくても良い。
【００２４】
図５は、本発明の実施の形態に係る複室容器の他の例を示す正面図である。図５に示す複室容器においては、充填室１１をカバー２で覆っている。カバー２の構成は、図１に示す複室容器と同じである。
【００２５】
図５に示す複室容器は、充填室１１，１２間が未開通状態の場合に充填室１１をカバー２で覆い、充填室１１，１２間が開通状態になってシール部１３の厚さが増加した場合にカバー２が脱落するように構成されている。このため、充填室１１，１２間が未開通状態の場合においては、容器本体１の穴１４がカバー２により覆われている。このため、この状態では、カバー２で穴１４が覆われているので、必然的に複室容器をスタンド台に吊り下げることができず、使用することができない。すなわち、充填室１１，１２が未開通状態では、使用できないことになる。このため、薬剤の混合し忘れという事態を確実に回避することが可能となる。しかも、この構成によれば、異物の混入を防止することができる。
【００２６】
図６は、本発明の実施の形態に係る複室容器の他の例を示す正面図である。図６に示す複室容器においては、図１、図５に示す複室容器は、カバー２同士をシールしてシール部２２を形成した場合について説明している。図６に示す複室容器は、剛性部材２１同士をシールしてシール部２２を形成している。したがって、図６に示す態様においては、剛性部材２１でカバー２を閉じているので、剛性部材２１の長さＬは、カバー２の幅Ｄよりも長く設定される。なお、剛性部材２１については図１、図５に示す複室容器と同じである。
【００２７】
図６に示す複室容器は、充填室１１，１２間が未開通状態の場合に充填室１２をカバー２で覆い、充填室１１，１２間が開通状態になってシール部１３の厚さが増加した場合にカバー２が脱落するように構成されている。このため、充填室１１，１２間が未開通状態の場合においては、容器本体１の口栓１５がカバー２により覆われている。このため、この状態では、カバー２で口栓１５が覆われているので、必然的に口栓１５に中空針を刺せず、使用することができない。すなわち、充填室１１，１２が未開通状態では、使用できないことになる。このため、薬剤の混合し忘れという事態を確実に回避することが可能となる。しかも、この構成によれば、異物の混入を防止することができる。
【００２８】
図６に示す複室容器は、充填室１２をカバー２で覆っているが、図６に示すカバー２を用いて、図５に示す複室容器のように、充填室１１をカバー２で覆っても良い。
【００２９】
本発明は上記実施の形態に限定されず、種々変更して実施することができる。例えば、上記実施の形態においては、充填室が２つである場合について説明しているが、本発明は充填室が３つ以上である場合にも適用することができる。また、上記実施の形態においては、充填室に液状の薬剤を充填する場合について説明しているが、本発明においては、充填室に粉末状の薬剤を充填する場合にも適用することができる。また、上記実施の形態における材質、大きさ、形状などは一例であり、これに限定されない。その他、本発明の範囲を逸脱しない範囲において、本発明を種々変更して実施することができることは当業者には明らかであろう。
【図面の簡単な説明】
【００３０】
【図１】本発明の実施の形態に係る複室容器を示す正面図である。
【図２】図１に示す複室容器の側面図である。
【図３】図１に示す複室容器のカバー取付部分を示す拡大図である。
【図４】本発明の実施の形態に係る複室容器にカバーを取り付ける態様を示す図である。
【図５】本発明の実施の形態に係る複室容器の他の例を示す正面図である。
【図６】本発明の実施の形態に係る複室容器の他の例を示す正面図である。
【符号の説明】
【００３１】
１  容器本体
２  カバー
１１，１２  充填室
１３，２２  シール部
１４  穴
１５  口栓
２１  剛性部材
【図１】
0005361138.tif 000002
【図２】
0005361138.tif 000003
【図３】
0005361138.tif 000004
【図４】
0005361138.tif 000005
【図５】
0005361138.tif 000006
【図６】
0005361138.tif 000007